(57)【要約】【課題】  本発明は、長時間ブランク状態が継続したとしても、シャッターの破損などの不具合が生じない投射型表示装置を提供することを目的としている。【解決手段】  被投射面への投射を中断する指示（ブランク指示）を受けている際に、光を遮るように遮光部材を制御する第１の状態と、光変調素子から出射する光を放熱部材に入射するように光変調素子を制御する第２の状態と、切り替えるように制御する。【選択図】  図３
2020042101.tif 000002
【特許請求の範囲】
【請求項１】
入力された映像信号に応じて光源から照射された光を、被投射面へ投射される方向または前記被投射面へ投射されない方向に反射させて変調する光変調素子と、
前記光変調素子によって前記被投射面へ投射されない方向へ反射した光が入射する位置に設けられた放熱部材と、
前記光源と前記光変調素子との間に設けられ、前記光源からの光を遮るための遮光部材と、
前記光変調素子の駆動制御と、前記遮光部材の制御とを行う制御手段と、を有する投射型表示装置であって、
前記制御手段は、前記被投射面への投射を中断しているときに、前記光源からの光を遮るように前記遮光部材を制御する第１の状態と、前記光変調素子から出射する光が前記放熱部材に入射するように前記光変調素子を制御する第２の状態とを、切り替えるように制御することを特徴とする投射型表示装置。
【請求項２】
前記制御手段は、それぞれ所定時間が経過するごとに前記第１の状態と前記第２の状態とを切り替えるように制御することを特徴とする請求項１に記載の投射型表示装置。
【請求項３】
前記遮光部材の温度を検出するための第１の温度検出手段と、
前記放熱部材の温度を検出するための第２の温度検出手段と、
をさらに有し、
前記制御手段は、前記第１の温度検出手段で検出される温度が所定温度以上となったタイミングで前記第１の状態から前記第２の状態へ切り替え、前記第２の温度検出手段で検出される温度が所定温度以上となったタイミングで前記第２の状態から前記第１の状態へと切り替えることを特徴とする請求項１に記載の投射型表示装置。
【請求項４】
前記制御手段は、前記第１の状態のときに、前記光変調素子から出射する光が前記被投射面へ投射される方向へ反射するように前記光変調素子を制御することを特徴とする請求項１乃至３のいずれか１項に記載の投射型表示装置。
【請求項５】
前記制御手段は、
前記第２の状態から前記第１の状態へ切り替える際に、前記遮光部材で光を遮った後に、前記光変調素子から出射する光を前記放熱部材に入射しないように制御し、
前記第１の状態から前記第２の状態へ切り替える際に、前記光変調素子から出射する光を前記放熱部材に入射するように制御した後に、前記遮光部材で光を遮るように制御することを特徴とする請求項１乃至４のいずれか１項に記載の投射型表示装置。
【請求項６】
前記遮光部材を冷却する第１の冷却手段をさらに有することを特徴とする請求項１乃至４のいずれか１項に記載の投射型表示装置。
【請求項７】
前記放熱部材を冷却する第２の冷却手段をさらに有することを特徴とする請求項１乃至６のいずれか１項に記載の投射型表示装置。
【請求項８】
前記遮光部材を冷却する第１の冷却手段と、
前記放熱部材を冷却する第２の冷却手段と、をさらに有し、
前記制御手段は、前記第１の状態と前記第２の状態に応じて、前記第１の冷却手段と前記第２の冷却手段とを制御することを特徴とする請求項１乃至５のいずれか１項に記載の投射型表示装置。
【請求項９】
前記制御手段は、前記第１の状態のときに、前記第１の冷却手段で前記遮光部材を冷却するように制御し、前記第２の状態のときに、前記第２の冷却手段で前記放熱部材を冷却するように制御することを特徴とする請求項８に記載の投射型表示装置。
【請求項１０】
前記制御手段は、前記第２の状態よりも前記第１の状態のときに、前記第１の冷却手段がより前記遮光部材を冷却するように制御し、前記第１の状態よりも前記第２の状態のときに、前記第２の冷却手段がより前記放熱部材を冷却するように制御することを特徴とする請求項７に記載の投射型表示装置。
【請求項１１】
前記被投射面への投射を中断する中断指示及び投射の中断を解除する解除指示を受け付ける受付手段をさらに有し、
前記制御手段は、前記受付手段で前記中断指示を受け付けてから前記解除指示を受け付けるまでの間、前記第１の状態と前記第２の状態とを切り替えるように制御することを特徴とする請求項１乃至１０のいずれか１項に記載の投射型表示装置。
【発明の詳細な説明】
【技術分野】
【０００１】
本発明は、投射型表示装置に関するものである。
【背景技術】
【０００２】
プロジェクタ装置には、使用中に投射画像を一時的に被投射面に表示させないようにするブランクと呼ばれる機能が備えられていることが一般的である。このブランク機能を達成するために光源を消灯してしまうと、ブランク状態から復帰する際に光源の立ち上がりを待つ必要が生じるため、光源は消灯させずに投射画像を表示させないようにする仕組みが用いられる。
【０００３】
特許文献１には、シャッターによって光源が発する光を遮ることで光源を消灯させずにブランク状態を達成するプロジェクタが開示されている。さらに特許文献１には、シャッターを冷却する冷却装置を設けることで、シャッターが過剰に熱せられて破損してしまうことを防止できることが開示されている。
【先行技術文献】
【特許文献】
【０００４】
【特許文献１】特開２０１０−２４３９１５号公報
【発明の概要】
【発明が解決しようとする課題】
【０００５】
しかしながら、長時間ブランク状態を継続する場合には、特許文献１のように冷却装置を設けたとしても十分にシャッターの熱を放熱しきれない可能性が生じる。また、冷却装置で十分に冷却しようとすると、冷却効率を上げるために冷却装置が大型化したり、ファンを高速駆動させることになりユーザにとって不快な騒音の発生を招くことになる可能性も生じる。
【０００６】
そこで、本発明は、長時間ブランク状態が継続したとしても、不具合が生じない投射型表示装置を提供することを目的としている。
【課題を解決するための手段】
【０００７】
上記目的を達成するために、本発明の投射型表示装置は、入力された映像信号に応じて光源から照射された光を、被投射面へ投射される方向または前記被投射面へ投射されない方向に反射させて変調する光変調素子と、前記光変調素子によって前記被投射面へ投射されない方向へ反射した光が入射する位置に設けられた放熱部材と、前記光源と前記光変調素子との間に設けられ、前記光源からの光を遮るための遮光部材と、前記光変調素子の駆動制御と、前記遮光部材の制御とを行う制御手段と、を有する投射型表示装置であって、前記制御手段は、前記被投射面への投射を中断しているときに、前記光源からの光を遮るように前記遮光部材を制御する第１の状態と、前記光変調素子から出射する光が前記放熱部材に入射するように前記光変調素子を制御する第２の状態とを、切り替えるように制御することを特徴とする。
【発明の効果】
【０００８】
このように第１の状態と第２の状態とを切り替える制御を行うことで、長時間ブランク状態が継続したとしても、遮光部材が熱せられすぎる状態を防止することができ、不具合が生じない投射型表示装置を提供することができる。
【図面の簡単な説明】
【０００９】
【図１】第１の実施形態にかかるプロジェクタ装置の制御ブロック図である。
【図２】第１の実施形態にかかるプロジェクタ装置の構造である。
【図３】第１の実施形態にかかるプロジェクタ装置のブランク時の制御を示すフローチャートである。
【図４】第１の実施形態にかかる切り替え制御を説明する図である。
【図５】第１の実施形態の変形例にかかるプロジェクタ装置の制御ブロック図である。
【図６】第１の実施形態の変形例にかかるプロジェクタ装置の構造である。
【図７】第２の実施形態にかかるプロジェクタ装置の制御ブロック図である。
【図８】第２の実施形態にかかるプロジェクタ装置の構造である。
【図９】第２の実施形態にかかるプロジェクタ装置のブランク時の制御を示すフローチャートである。
【発明を実施するための形態】
【００１０】
以下、図面を参照して、本発明の実施形態を詳細に説明する。
【００１１】
（第１の実施形態）
図１は、本発明の実施形態にかかる投射型表示装置としてのプロジェクタ装置の全体構造を説明するための制御ブロック図である。図２は、プロジェクタ装置の内部構造を説明するための図である。
【００１２】
まず、図１を用いてプロジェクタ１００の制御について説明する。
【００１３】
プロジェクタ１００は大きく分けて光学的な画像形成を行う投射ユニット１１０と、画像データの電気的な処理やプロジェクタ１００の各部と信号（情報）の送受信を行い、プロジェクタ１００の動作を制御する制御ユニット１２０とで構成されている。
【００１４】
投射ユニット１１０には、光源として用いられるランプ１１１、ランプ１１１を駆動するランプ駆動部１１２、シャッター１１３、照明光学系１１４、光変調素子として用いられるＤＭＤ素子１１５、ＤＭＤ駆動部１１６、投射レンズ１１７で構成されている。ランプ１１１は、超高圧水銀ランプやキセノンランプなどの照明装置であり、ＬＥＤやレーザーなどの固体光源を用いることもできる。ランプ駆動部１１２はランプ１１１を駆動するためのバラストであり、ランプ１１１の点灯時に投入される電流の安定化装置である。
【００１５】
シャッター１１３（遮光部材）は、ランプ１１１とＤＭＤ素子１１５との間に設けられ、ランプ１１１からの光を遮光可能に構成された開閉駆動可能な羽根部材である。シャッター１１３が開いている際に、ランプ１１１から照射される投射光は、照明光学系１１４に導かれる。照明光学系１１４は、ランプ１１１が発した光を均一化し、複数のレンズ群やミラーを介してＤＭＤ素子１１５に照射する。
【００１６】
ＤＭＤ素子１１５は、入射する光を変調する変調領域を備えており、照明光学系１１４からの光を変調することができる。具体的には、表示画素に相当する複数の微小マイクロミラーが二次元的にマトリクス上に配列された半導体素子であり、この微小マイクロミラーはそれぞれがオン状態とオフ状態の二つの傾斜状態を切り替えることができる構造となっている。オン状態のマイクロミラーに入射した照明光は、投射レンズ１１７に向けて反射され（変調され）投射レンズ１１７に入射される（オン光１１５１）。つまり、オン状態のマイクロミラーで反射した照明光だけが投射レンズ１１７によってスクリーンなどの被投射面に投影される。一方、オフ状態のマイクロミラーで反射された（変調された）照明光は、投射光学系を構成する投射レンズ１１７には入射せず、当該反射光が入射する位置に設けられ光吸収板として機能するオフ光板１１４６に照射される（オフ光１１５２）。したがって、ＤＭＤ素子１１５を用いたプロジェクタ１００は、入力された画像信号に応じてＤＭＤ素子１１５のオン状態とオフ状態とを切り替えることにより、明暗のパターンを生成し、投射画像をスクリーン上に表示することができる。ＤＭＤ駆動部１１６は後述する外部インターフェース１３０から入力された画像信号に基づいてＤＭＤ素子１１５を駆動する回路基板である。
【００１７】
制御ユニット１２０は、画像処理ユニット１２１、ランプ制御部１２２、ファン制御部１２３、シャッター制御部１２４を有している。画像処理ユニット１２１には、画像入力部１２１１、表示制御部１２１２、画像処理部１２１３が含まれている。さらにプロジェクタ１００は、ファン制御部１２３で制御されるファン１４０（吸気ファン１４１、排気ファン１４２）、操作パネル１５０、リモコン受信部１６０、外部インターフェース１３０を有している。
【００１８】
ＰＣなどの外部入力機器９９９から画像信号データ（映像信号）が送信されてくると、当該画像信号は、外部インターフェース１３０を介して画像処理ユニット１２１に入力される。このとき、画像入力部１２１１では入力された画像信号データの輝度信号、色度信号、同期信号などの分析を行う。表示制御部１２１２は、画像入力部１２１１で分析された画像情報をもとに、投影表示するための画像データが生成されるように画像処理部１２１３を制御する。画像処理部１２１３は、入力された画像データの解像度、フレームレート、圧縮状態などの判別を行い、画像を表示するための所定フォーマットの画像データを生成する。そして表示制御部１２１２は、画像処理部１２１３で処理・生成された画像信号をＤＭＤ駆動部１１６に送信する。ＤＭＤ駆動部１１６は、この画像信号を、ＤＭＤ素子１１５を駆動するための電圧波形に変調して印加する。さらに表示制御部１２１２は、ランプ制御部１２２に対して画像データのランプ制御電流情報を送信する。ランプ制御部１２２は適切な電流情報を生成し、ランプ駆動部１１２にて駆動する電流値の制御を行う。シャッター制御部１２４は、表示制御部１２１２からの指示に基づいてシャッター１１３の開閉動作の制御を行う。
【００１９】
操作パネル１５０は、プロジェクタ１００の各種操作を受付けることができるパネルであり、受け付けた操作情報を制御ユニット１２０に送信することで、プロジェクタ１００の各種操作を行うことができる。リモコン受信部１６０は、リモコンによる操作情報を制御ユニット１２０に送信して、プロジェクタ１００の各種操作を行うことができる。
【００２０】
ユーザは、操作パネル１５０やリモコンなどを用いて、スクリーンへの投射を一時中断するブランク指示（中断指示）及び再度スクリーンへの投射を再開させる指示（中断を解除する解除指示）を行うことができる。このような指示が操作パネル１５０で行われたりリモコン受信部１６０で指示を受信すると、表示制御部１２１２が当該指示を受け付ける。そして、表示制御部１２１２は、ブランク指示中に、シャッター１１３の開閉制御が行われるように制御を行ったり、ＤＭＤ素子のオンオフ状態の切り替え動作が所定のタイミングで行われるように制御する。この切り替え制御の詳細については後述する。
【００２１】
次に、図２を用いてプロジェクタ１００の内部構造を説明する。プロジェクタ１００は、大まかにはランプ１１１、シャッター１１３、照明光学系１１４、投射レンズ１１７、外部インターフェース１３０、ファン１４０、メイン基板１７０といった部品で構成されている。照明光学系１１４は、光学筐体１１４０、カラーホイール１１４１、ロッドインテグレータ１１４２、反射ミラー１１４３、ＤＭＤ用ヒートシンク１１４４、ＤＭＤ用ヒートシンク取り付けビス１１４５、オフ光板１１４６、ＤＭＤ素子１１５を有している。
【００２２】
カラーホイール１１４１は互いに異なる複数の色、たとえば赤、緑、青の各カラーフィルタ領域とカラーフィルタがない透明領域が円周方向に配置された回転円盤である。カラーホイール１１４１の構成はこの限りではなく、シアンおよびマゼンダを加えた６セグメントであっても良いし、その他の組み合わせであっても良い。またホイール内に占める各カラーフィルタの領域の割合は任意に設定できるものである。カラーホイール１１４１を通過することでランプ１１１から照射された白色光は時分割でＲ、Ｇ、Ｂ、Ｗの光に分離され、光学筐体１１４０に保持されたロッドインテグレータ１１４２に入射する。ロッドインテグレータ１１４２は、中空の角柱状ガラス部品であり、内部にミラー面が形成されて構成されている。ロッドインテグレータ１１４２に入射した光は、内部のミラー面にて複数回反射しながら均一な面光源となって出射する。ロッドインテグレータ１１４２から出た均一光は、光学筐体１１４０内に配置された反射ミラー１１４３にて反射してＤＭＤ素子１１５に導かれる。ＤＭＤ素子１１５に照射された光は、マイクロミラーの傾動によって、投射レンズ１１７を通過してスクリーンに投射されるオン光１１５１と、投射レンズ１１７を通過せず、オフ光板１１４６に照射されるオフ光１１５２に分離される。
【００２３】
放熱部材として用いられるオフ光板１１４６は、光学筐体１１４０の一部に一体的に設けられた複数のフィンを有しており、オフ光１１５２を吸収することによって生じる熱は複数のフィンにより放熱される。ここではオフ光板１１４６と光学筐体１１４０が一体としたがこの限りではなく、別部品として光学筐体１１４０に取り付けられる構造であってもよい。ＤＭＤ素子１１５は、背面がＤＭＤ用ヒートシンク１１４４と接するように光学筐体１１４０に保持されており、さらにＤＭＤ用ヒートシンク１１４４はＤＭＤ用ヒートシンク取り付けビス１１４５によって光学筐体１１４０に対して取り付けられている。
【００２４】
吸気ファン１４１は、外部からプロジェクタ１００内に空気を取り込むためのファンであり、排気ファン１４２はプロジェクタ１００内部の空気をプロジェクタ１００の外部に排出するためのファンであり、ファン制御部１２３により制御される。多くの場合吸気ファン１４１および排気ファン１４２はともに軸流ファンとして配置されるがこの限りではなく、たとえばシロッコファンなどのほかの方式のファンを使用することができる。またその設置場所や個数についても内部構造や熱量によって適宜、最適に構築されるものである。
【００２５】
次に、図３のフローチャートを用いて、ユーザからスクリーンへの投射を一時中断するブランク指示（中断指示）を受けているときのプロジェクタ１００の切り替え動作について説明する。図３のフローチャートは、制御ユニット１２０の表示制御部１２１２が制御手段として機能することで実現される。
【００２６】
Ｓ３０１では、表示制御部１２１２は、操作パネル１５０などを介してユーザからブランク指示の操作が行われたかどうかを判断する。Ｓ３０１で指示が行われたと判断された際には、Ｓ３０２において、ランプ１１１からの光を遮光し、スクリーンに投射画像が投射されないようにシャッター１１３が閉じるようにシャッター制御部１２４を制御する。これにより、外部入力手段から映像信号が入力されていたとしても、スクリーンに投射画像が投影されないブランク状態となる。Ｓ３０３では、表示制御部１２１２は、シャッター１１３を閉じることによるブランク状態となっている経過時間の計測を開始する。Ｓ３０４では、表示制御部１２１２は、ＤＭＤ素子１１５のマイクロミラーすべてがオン状態となるようにＤＭＤ駆動部１１６を制御する。
【００２７】
Ｓ３０５では、ユーザからブランク状態を解除する操作が行われたかどうかを判断する。Ｓ３０５でユーザからブランク状態を解除する指示が行われたと判断した場合には、Ｓ３１０でシャッター１１３が開くようにシャッター制御部１２４を制御し、入力された映像信号がスクリーンに投射される通常状態に戻し、ブランク時の処理を終了する。Ｓ３０５で解除されていないと判断された場合には、Ｓ３０６に進み、Ｓ３０３で計測している時間が所定時間経過したかを判断する。この所定時間は、遮光光により熱せられたシャッター１１３の温度が上限値を超えない時間である。所定時間経過していないと判断された場合には、Ｓ３０５に戻る。所定時間経過したと判断された場合には、遮光によりシャッター１１３が熱くなっており、上限温度に近づいているといえるため、Ｓ３０７に進み、ＤＭＤ素子１１５のマイクロミラーすべてをオフ状態とするようにＤＭＤ駆動部１１６を制御する。そしてＳ３０８で、表示制御部１２１２は、ＤＭＤ素子１１５をオフ状態にすることでブランク状態となっている経過時間の計測を開始する。そして、Ｓ３０９において、表示制御部１２１２は、シャッター１１３を開くように表示制御部１２１２を制御する。ＤＭＤ素子１１５がオフ状態となると、シャッター１１３が開いていたとしてもＤＭＤ素子１１５に入射する光はすべてオフ光板１１４６に入射する。つまり投射レンズ１１７には光が導光されないため投射画像の表示はされず、ブランク状態とすることができる。
【００２８】
Ｓ３１１では、ユーザからブランク状態を解除する操作が行われたかどうかを判断する。Ｓ３１１でブランク状態を解除する操作が行われたと判断された場合には、入力画像がスクリーンに投射される通常状態のＤＭＤ素子の駆動制御に戻し、ブランク時の処理を終了する。一方Ｓ３１１で解除されていないと判断された場合には、Ｓ３１２に進み、Ｓ３０８で計測している時間が所定時間経過したかを判断する。この所定時間とは、反射光により熱せられたオフ光板１１４６の温度が上限値を超えない時間である。所定時間経過していないと判断された場合には、Ｓ３１１に戻る。所定時間経過したと判断された場合には、Ｓ３０２に戻り、処理を続ける。
【００２９】
つまりシャッター１１３を閉じることでブランク状態とする第１の状態と、シャッター１１３を開いてＤＭＤ素子１１５をオフ状態とすることでブランク状態とする第２の状態とを所定のタイミングで交互に行われるよう制御する。これにより、長時間ブランク状態が継続したとしても、シャッター１１３が熱せられすぎる状態を防止することができ、シャッター１１３の破損などを防止することができる。
【００３０】
なお、図３で示すＳ３０２〜Ｓ３０３の処理は、同時に行ってもよいが、Ｓ３０２の処理よりも、Ｓ３０４の処理は後に行うようにした方が好ましい。Ｓ３０４の処理を後にすることで、シャッター１１３で光路を遮光した後にＤＭＤ素子１１５からの光をオフ光板１１４６に照射しないようにでき、確実にブランク状態を保った状態で切り替え処理を行うことができる。また、Ｓ３０７〜Ｓ３０９の処理も同様に、同時に行ってもよいが、Ｓ３０７の処理よりも、Ｓ３０９の処理を後に行うようにした方が好ましい。Ｓ３０７の処理を後にすることで、ＤＭＤ素子１１５からの光をオフ光板１１４６に照射させた後にシャッター１１３を開くことができ、確実にブランク状態を保った状態で切り替え処理を行うことができる。
【００３１】
また、Ｓ３０４のシャッター１１３を閉じている間、ＤＭＤ素子をオン状態とする工程は、必須の工程ではなく、シャッター１１３を閉じている間もＤＭＤ素子は映像信号に応じた駆動であったり、ＤＭＤ素子をオフ状態としておいてもよい。しかし、一般的にＤＭＤ素子のマイクロミラーは、長時間にわたって同じ傾斜状態を維持させるとヒンジメモリーと呼ばれる故障状態となり、オン状態とオフ状態の切り替えが行えなくなることが知られている。そのため、Ｓ３０４のように定期的にＤＭＤ素子のオン状態とオフ状態とを切り替えるように制御することで、長時間ブランク状態が継続されたとしても、不具合が発生することを防止できる。
【００３２】
また、Ｓ３０６及びＳ３１０の判断で用いられる所定時間は、毎回同じ時間である必要はなく、切り替え回数を重ねるごとに変更してもよい。さらに、図３の例では、シャッターによるブランク状態をＤＭＤ素子によるブランク状態より先に行う例を示したが、逆の順で行ってもよい。
【００３３】
図４は、図３に示す処理を行った際の、（ａ）シャッターの開閉状態（ｂ）シャッターの温度（ｃ）ＤＭＤ素子のオンーオフ状態（ｃ）オフ光板温度を時系列で示した説明図である。図４（ｂ）の一点鎖線で示した温度は、シャッターの温度の上限値ＳＬであり、シャッターの温度が上限値ＳＬを超えるとシャッターの熱変形が光学特性や機械特性に影響を与える可能性がある。つまり、Ｓ３０６で用いられる所定時間は、当該上限値ＳＬを超えない温度に設定されている。また、図４（ｃ）の一点鎖線で示した温度は、オフ光板１１４６の温度の上限値ＯＬであり、オフ光板１１４６の温度が上限値ＯＬを超えるとオフ光板１１４６の熱変形が光学特性や機械特性に影響を与える可能性がある。つまり、Ｓ３１０で用いられる温度は、当該上限値ＯＬを超えない時間に設定されている。
【００３４】
シャッター１１３が閉状態の場合には、シャッター１１３にランプ１１１からの光が照射され続けるため、シャッター１１３の温度は上昇する。ここでシャッター１１３の温度がシャッター温度上限値ＳＬとなる前にシャッター１１３を開状態とすると同時に、ＤＭＤ素子１１５によるブランク状態へと移行する。ＤＭＤ素子１１５によるブランク期間の間、シャッター１１３は開状態となり、ランプ１１１からの光の照射が中断するため、図４（ｂ）に示すシャッター１１３の温度は下降する。一方で、ＤＭＤ素子１１５のマイクロミラーが全てオフ状態となるためオフ光板１１４６へはオフ光１１５２が照射され、図４（ｄ）に示すようにオフ光板１１４６の温度は上昇を始める。その後、オフ光板１１４６の温度がオフ光板温度上限値ＯＬとなる前にシャッター１１３を閉状態とし、シャッター１１３によるブランク状態へと再度移行する。この間、シャッター１１３は閉状態となり、ランプ１１１からの光の照射が再開するため、シャッター１１３の温度は上昇する。一方で、オフ光板１１４６へはオフ光１１５２の照射が中断するため、オフ光板１１４６の温度は下降を始める。
【００３５】
（第１の実施形態の変形例）
第１の実施形態の変形例では、第１の実施形態と異なる箇所について説明を行い、同じ個所については説明を省略する。
【００３６】
本変形例では、図５及び図６に示すように、シャッター１１３を冷却するシャッター冷却ファン１４３（第１の冷却手段）とオフ光板１１４６を冷却するオフ光板冷却ファン１４４（第２の冷却手段）が設けられている。そして、これらのファンもファン制御部１２３で制御されている。
【００３７】
オフ光板冷却ファン１４４はオフ光板１１４６の近傍に設置された冷却用の軸流ファンであって、吸気口１４４１と排気口１４４２が設けられている。オフ光板冷却ファン１４４は図６に示すように、排気口１４４２がオフ光板１１４６のフィンに向けて冷却風が吹きつけられるように、不図示の取り付けビスによって外装筐体に取り付けられている。すなわち、オフ光が入射することで生じるオフ光板１１４６の熱は、上述のようにフィンによって放熱されるが、オフ光板冷却ファン１４４によって冷却風が吹き付けられることによって、効率的に放熱される。
【００３８】
また、シャッター冷却ファン１４３はシャッター１１３の近傍に設置された冷却用の軸流ファンであって、吸気口１４３１と排気口１４３２が設けられている。シャッター冷却ファン１４３は図６に示すように、排気口１４３２がシャッター１１３に向けて冷却風が吹き付けられるように、不図示の取り付けビスによって外装筐体に取り付けられている。すなわち、光路を遮光することで生じるシャッター１１３の熱は、冷却風が吹き付けられることによって、効率的に放熱される。
【００３９】
これらのファン１４４、１４３は、オフ光板１１４６及びシャッター１１３を適宜冷却するタイミングで駆動されることが好ましい。これらの駆動の一例を以下説明する。
【００４０】
シャッター１１３を閉じることでブランク状態としている第１の状態のときにシャッター冷却ファン１４３を駆動されるように制御する。そして、シャッター１１３を開いてＤＭＤ素子１１５をオフ状態とすることでブランク状態としている第２の状態のときにオフ光板冷却ファン１４４を駆動するように制御してもよい。このようにブランク状態の切り替えタイミングに連動してファンの冷却の切り替えを行うことで、必要なタイミングにのみファンを駆動することができ、冷却装置に起因する騒音を低減した状態で、良好にブランク状態を継続することができる。
【００４１】
また、ブランク状態切り替えのタイミングに連動してファンの冷却の切り替えを行うが、余剰冷却期間を経過してからファンが停止するように制御してもよい。具体的には、第１の状態から第２の状態に切り替わる際に、オフ光板冷却ファン１４４を駆動してすぐにシャッター冷却ファン１４３を停止するのではなく、オフ光板冷却ファン１４４が駆動後、所定の余剰冷却期間が経過した後に停止する。そして、第２の状態から第１の状態に切り替わる際に、シャッター冷却ファン１４３が駆動してすぐオフ光板冷却ファン１４４を停止するのではなく、シャッター冷却ファン１４３が駆動した後、所定の余剰冷却期間が経過した後に停止する。このように制御することで、より効率的に冷却させることもできる。
【００４２】
また、常にファン１４４，１４３を駆動させておき、第２の状態のときに第１の状態のときよりもオフ光板冷却ファン１４４の回転数を高くし、第１の状態のときに第２の状態のときよりもシャッター冷却ファン１４３の回転数を高くするように制御してもよい。このように制御することで、より効率的に冷却させることもできる。
【００４３】
（第２の実施形態）
第１の実施形態においては、シャッター１１３を閉じることでブランク状態とする第１の状態と、シャッター１１３を開いてＤＭＤ素子１１５をオフ状態とすることでブランク状態とする第２の状態とを所定時間が経過するごとに交互に行われる場合を説明した。本実施形態においては、シャッター１１３近傍に温度センサを設けるとともに、オフ光板１１４６近傍に温度センサを設け、第１の状態と第２の状態とをこれらの温度センサで検出される温度がそれぞれの所定温度以上となるタイミングで切り替える場合を説明する。
【００４４】
本実施形態においては、第１の実施形態及び変形例と異なる部分を中心に説明し、同じ部分については説明を省略する。
【００４５】
図７は、本発明の実施形態にかかる投射型表示装置としてのプロジェクタ装置の全体構造を説明するための制御ブロック図である。図８は、プロジェクタ装置の内部構造を説明するための図である。
【００４６】
図７及び図８に示すように、本実施形態においては、シャッター１１３の近傍位置に、シャッター１１３の温度を測定するための温度センサ１１８（第１の温度検出手段）が設けられている。さらに、オフ光板１１４６の近傍位置に、オフ光板１１４６の温度を測定するための温度センサ１１９（第２の温度検出手段）が設けられている。表示制御部１２１２は、第１の実施形態と同様に、ブランク指示中に温度検知部１２５が取得した温度センサ１１８，１１９の温度をもとに、シャッター１１３の開閉制御を行ったり、ＤＭＤ素子のオンオフ状態の切り替え動作が行われるように制御する。
【００４７】
次に、図９のフローチャートを用いて、ユーザからスクリーンへの投射を一時中断するブランク指示（中断指示）を受けているときのプロジェクタ１００の切り替え動作について説明する。図９のフローチャートは、制御ユニット１２０の表示制御部１２１２が制御手段として機能することで実現される。
【００４８】
Ｓ９０１では、表示制御部１２１２は、操作パネル１５０などを介してユーザからブランク指示の操作が行われたかどうかを判断する。Ｓ９０１で指示が行われたと判断された際には、Ｓ９０２において、ランプ１１１からの光を遮光し、スクリーンに投射画像が投射されないようにシャッター１１３が閉じるようにシャッター制御部１２４を制御する。これにより、外部入力手段から映像信号が入力されていたとしても、スクリーンに投射画像が投影されないブランク状態となる。Ｓ９０３では、表示制御部１２１２は、ＤＭＤ素子１１５のマイクロミラーすべてがオン状態となるようにＤＭＤ駆動部１１６を制御する。
【００４９】
Ｓ９０４では、ユーザからブランク状態を解除する操作が行われたかどうかを判断する。Ｓ９０４でユーザからブランク状態を解除する指示が行われたと判断した場合には、Ｓ９０８でシャッター１１３が開くようにシャッター制御部１２４を制御する。そして、入力された映像信号がスクリーンに投射される通常状態のＤＭＤ素子１１５の駆動制御に戻し、ブランク時の処理を終了する。一方、Ｓ９０４で解除されていないと判断された場合には、Ｓ９０５に進み、シャッター１１３の温度を測定するための温度センサ１１８で検出された温度が所定温度以上となっているかを判断する。この所定温度は、図４（ｂ）に示すシャッター温度の上限値ＳＬより低い温度に設定しておくことで、シャッター１１３の熱変形が光学特性や機械特性に影響を与えることを防止できる。所定温度以上ではないと判断された場合には、Ｓ９０４に戻る。所定温度以上となったと判断された場合には、遮光によりシャッター１１３が熱くなっており、上限温度に近づいているといえるため、Ｓ９０６に進み、ＤＭＤ素子１１５のマイクロミラーすべてをオフ状態とするようにＤＭＤ駆動部１１６を制御する。そして、Ｓ９０７において、表示制御部１２１２は、シャッター１１３を開くように表示制御部１２１２を制御する。ＤＭＤ素子１１５がオフ状態となると、シャッター１１３が開いていたとしても、ＤＭＤ素子１１５に入射する光はすべてオフ光板１１４６に照射されることになる。そのため、投射レンズ１１７には光が導光されないため、投射画像の表示はされず、ブランク状態とすることができる。
【００５０】
Ｓ９０９では、ユーザからブランク状態を解除する操作が行われたかどうかを判断する。Ｓ９０９でブランク状態を解除する操作が行われたと判断された場合には、入力画像がスクリーンに投射される通常状態に戻し、ブランク時の処理を終了する。一方Ｓ９０９で解除されていないと判断された場合には、Ｓ９１０に進み、オフ光板１１４６の温度を測定するための温度センサ１１９で検出された温度が所定温度以上となっているかを判断する。この所定温度は、図４（ｄ）に示すオフ光板１１４６の温度の上限値ＯＬより低い温度に設定しておくことで、オフ光板１１４６の熱変形が光学特性や機械特性に影響を与えることを防止できる。所定温度以上ではないと判断された場合には、Ｓ９０９に戻る。所定温度以上となったと判断された場合には、反射光によりオフ光板１１４６が熱くなっており、上限温度に近づいているといえるため、Ｓ９０２に進み、ＤＭＤ素子１１５のマイクロミラーすべてをオフ状態とするようにＤＭＤ駆動部１１６を制御する。
【００５１】
つまりシャッター１１３を閉じることでブランク状態とする第１の状態と、シャッター１１３を開いてＤＭＤ素子１１５をオフ状態とすることでブランク状態とする第２の状態とを交互に行われるよう制御する。これにより、長時間ブランク状態が継続したとしても、シャッター１１３が熱せられすぎる状態を防止することができ、シャッター１１３の破損などを防止することができる。
【００５２】
なお、図９で示すＳ９０２及びＳ９０３の処理は、同時に行ってもよいが、Ｓ９０２の処理よりも、Ｓ９０３の処理は後に行うようにした方が好ましい。Ｓ９０３の処理を後にすることで、確実にブランク状態を保った状態で切り替え処理を行うことができる。また、Ｓ９０６及びＳ９０７の処理も同様に、同時に行ってもよいが、Ｓ９０６の処理よりも、Ｓ９０７の処理を後に行うようにした方が好ましい。Ｓ９０７の処理を後にすることで、確実にブランク状態を保った状態で切り替え処理を行うことができる。
【００５３】
また、Ｓ９０３のシャッター１１３を閉じている間、ＤＭＤ素子をオン状態とすることは、必須の工程ではなく、シャッター１１３を閉じている間もＤＭＤ素子は映像信号に応じた駆動であったり、ＤＭＤ素子をオフ状態としておいてもよい。しかし、一般的にＤＭＤ素子のマイクロミラーは、長時間にわたって同じ傾斜状態を維持させるとヒンジメモリーと呼ばれる故障状態となり、オン状態とオフ状態の切り替えが行えなくなることが知られている。そのため、Ｓ９０３のように定期的にＤＭＤ素子のオン状態とオフ状態とを切り替えるように制御することで、長時間ブランク状態が継続されたとしても、不具合が発生することを防止できる。
【００５４】
また、図９の例では、シャッターによるブランク状態をＤＭＤ素子によるブランク状態より先に行う例を示したが、逆の順で行ってもよい。
【符号の説明】
【００５５】
１００  プロジェクタ
１１３  シャッター（遮光部材）
１１５  ＤＭＤ素子（光変調素子）
１１４６  オフ光板（放熱部材）
１１８，１１９  温度センサ（温度検出手段）
【図１】
2020042101.tif 000003
【図２】
2020042101.tif 000004
【図３】
2020042101.tif 000005
【図４】
2020042101.tif 000006
【図５】
2020042101.tif 000007
【図６】
2020042101.tif 000008
【図７】
2020042101.tif 000009
【図８】
2020042101.tif 000010
【図９】
2020042101.tif 000011